(57)【特許請求の範囲】
【請求項１】
装飾部材に固定具を水平移動自在に設け、該固定具に被取付面から懸垂された主取付材を取付け、該主取付材に設けた方杖部材を被取付面に連結した簾掛けにおいて、主取付材及び方杖部材に被取付面へ固定する取付具を角度調整自在に設け、主取付材に方杖部材を枢着連結したことを特徴とする簾掛け。
【請求項２】
装飾部材に簾吊着具を水平移動自在に設けたことを特徴とする請求項１記載の簾掛け。
【請求項３】
装飾部材は、複数の縦桟に水平に貫通孔を設け、該貫通孔に横桟を挿通し、前記縦桟を横桟に水平移動自在と成したことを特徴とする請求項１又は２記載の簾掛け。
【請求項４】
装飾部材の裏面に溝を水平方向全長にわたり形成し、該溝に固定具を摺動自在に装着すると共に、該固定具と前記溝の固定手段を設けたことを特徴とする請求項１又は２記載の簾掛け。
【請求項５】
主取付材と方杖部材の連結部を位置変え自在に設けたことを特徴とする請求項１、２、３又は４記載の簾掛け。
【請求項６】
主取付材と方杖部材の連結部を枢軸構造と成し、主取付材に上下に複数の枢着孔を設けたことを特徴とする請求項１、２、３、４又は５記載の簾掛け。
【請求項７】
主取付材と取付具、方杖部材と取付具、主取付材と方杖部材の各連結部は、バネ座金と共に、締結部材で枢着連結したことを特徴とする請求項１、２、３、４、５又は６記載の簾掛け。
【発明の詳細な説明】
【０００１】
【発明の属する技術分野】
本発明は、住宅の軒又は庇等（本明細書中、単に軒と称する。）の適切な個所に取付けて、窓の対向位置へ簾を吊下げる簾掛けに関する。
【０００２】
【従来の技術】
従来、住宅の窓等のブラインド手段の一つとして簾が使用されている。
簾は、夏期を中心に使用され、細い葦又は細く割った竹を糸で編み列ねたものであり、軒に吊るすことにより、室内外を隔てて室内を見え難くするだけでなく、良好な通風状態を維持すると共に、日光を遮り、室内の建具、家具、敷物等を紫外線から守ることが出来る。
而も、簾は、情緒性豊かな外観を有し、軒に吊るすことにより、住宅全体の美観の向上を図ることが出来る。
しかし、住宅壁面、窓等から離隔させて、窓の対向位置に簾を吊るすのに有効な手段、道具が存在しない為、軒に直接取り付けたフック等からロープ、ハリ金等を吊り下げ、更に、それらの下端を簾に結び付ける等して簾を吊るさなければならなかった。
従って、夏期の簾使用期毎に、ロープ、ハリ金等の取り付け、取り外し作業を反復実施しなければならず、その結果、簾の吊下げに大変煩わしい手間が掛かっていたり、安定性に欠けていた。
又、上記方法は、簾と共に吊り下げたロープ、ハリ金等が軒先に露出することにより、簾の利点の一つである、美しい外観を著しく損ねてしまう等の課題を有していた。
そこで、本件出願人は、上記課題を解決するため、特願平１１ー１０３６６７号で、被取付面（軒）から懸垂された主取付材に装飾部材を取付けた簾掛けを提案し、所期の目的を達成した。
【０００３】
【発明が解決しようとする課題】
ところが、上記簾掛けは、主取付材に装飾部材の所定位置を固定しなければならないため、主取付材を所定の間隔で軒に取付けなければならなかった。
一方、軒、庇の様式は多様であり、軒の下面が平坦なものだけでなく、軒の下面にたるきが露出しているもの、庇に腕木が有るもの等があり、更に、たるき、腕木等の間隔も多様である。
従って、上記簾掛けは、軒等の様式（特に、主取付材を取付けるたるきが所定間隔の特定位置に配置される場合）に対応して、軒等の適切な個所に取付けることが出来ない場合もあった。
【０００４】
【課題を解決するための手段】
本発明は、上記従来技術に基づく、被取付面（軒）の適切な個所に簾掛けを取付けて、窓の対向位置に簾を吊下げることが困難な課題に鑑み、装飾部材に固定具を水平移動自在に設け、該固定具に軒から懸垂された主取付材を取付け、該主取付材に設けた方杖部材を軒に連結した簾掛けにおいて、主取付材及び方杖部材に軒へ固定する取付具を角度調整自在に設け、主取付材に方杖部材を枢着連結することにより、軒に取付けた主取付材に対応させて、装飾部材の固定具を位置調整して、簾掛けを軒の適切な個所に取付ける。そして、装飾部材に設けた位置調整自在な簾吊着具で窓の対向位置へ簾を吊下げる様にした簾掛けを提供して上記課題を解決する。
【０００５】
【発明の実施の形態】
以下本発明の一実施例を図面に基づいて説明する。
図１乃至図５は第１実施例を示す図であり、図６乃至図１４は第２実施例を示す図であり、図１５乃至図１８は軒への取付関係を示す図である。
【０００６】
図１は本発明の第１実施例を示し、窓の前方対向位置に簾掛けを設置した状態を示す側面図、図２は１個の簾掛けに２個の簾を取付けた状態を示す正面図、図３は窓の位置に合致させて１個の簾を取付けた状態を示す図、図４は装飾部材の正面図、図５は図４のＡーＡ断面図で、移動自在関係の縦桟と横桟を示す断面図である。
第１実施例の全体構成においては、軒ｂに主取付材９と方杖部材１０から成る取付部材３を取付け、該取付部材３に固定した装飾部材２２に簾吊着具４を介して簾ａを取付けている。
尚、取付部材３の詳細は後述する。
【０００７】
次に、取付部材３と装飾部材22の関係、並びに装飾部材22と簾ａの関係を説明する。
先ず、第１実施例の装飾部材22においては、図４乃至５に示す様に、複数の縦桟25、25a に水平に貫通孔を設け、該貫通孔に横桟26（図示例では丸棒）を挿通し、中央の縦桟25a を横桟26に固定状態と成して各横桟26を連結すると共に、両側の縦桟25（固定具24）を横桟26に水平移動自在と成している。
又、装飾部材22最下方に位置する横桟26に、リング付きフック（簾吊着具４）のリングを嵌めて、水平移動自在に設けている。
尚、縦桟25、横桟26の形状、数は図示例のものに限らず、例えば横桟26を装飾の施された平板状のもの等にしても良い。
【０００８】
そして、装飾部材２２の横桟２６に水平移動自在に設けた縦桟２５（固定具２４）と、被取付面（軒ｂ）から懸垂された主取付材９を取付けている。
【０００９】
以下、第２実施例について説明する。
図６は本発明の第２実施例を示し、窓の前方対向位置に簾掛けを設置した状態を示す側面図、図７は１個の簾掛けに２個の簾を取付けた状態を示す正面図、図８は窓の位置に合致させて１個の簾を取付けた状態を示す図、図９は装飾部材の正面図、図１０、１１は図９のＢーＢ断面図及びその端面図で、固定具の移動自在関係を示す断面図、図１２は背面から見た固定具の配置を示す図、図１３は固定具の取付状態の詳細を示す図、図１４は簾吊着具の取付状態の詳細を示す図である。
【００１０】
次に、取付部材３と装飾部材２３の関係、並びに装飾部材２３と簾ａの関係を説明する。
先ず、第２実施例の装飾部材２２においては、図９乃至１４に示す様に装飾部材２３の裏面に蟻溝２９を水平方向全長にわたり形成し、該蟻溝２９に固定具２４を摺動自在に装着し、該固定具２４に前記蟻溝２９への固定手段を設けている。
又、蟻溝２９に簾吊着具４を摺動自在に装着し、簾吊着具４に前記蟻溝２９への固定手段を設けている。
具体的には、額縁状に組まれたフレーム２７内に複数の帯板２８を斜め交差配置して、ラチスを形成し、且つ前記フレーム２７裏面側に蟻溝２９をフレーム２７の全長にわたり形成し、横枠の蟻溝２９に、固定具２４及び簾吊着具４を摺動自在に装着している。
【００１１】
又、固定具２４は、図１３に示す様に、蟻溝２９の形状に対応する装着部の略中央に、主取付材９を固定する螺子３０を設け、装着部の両側に螺孔３１を貫設し、該螺孔３１に螺子３２を螺入している。
又、簾吊着具４は、図１４に示す様に、蟻溝２９の形状に対応する装着部の略中央に簾ａを吊着する鉤具３３を設け、装着部の両側に螺孔３１を貫設し、該螺孔３１に螺子３２を螺入している。
【００１２】
そして、装飾部材２３の蟻溝２９に摺動自在に装着した固定具２４と、被取付面（軒ｂ）から懸垂された主取付材９を取付けている。
【００１３】
次に本発明に係る簾掛けの作用について説明する。
主取付材９を軒ｂへ取付ける個所が制限される場合（例えば、主取付材９を取付ける部材が所定間隔で配置されたたるきである場合）には、図２乃至３、図７乃至８に示す様に、軒ｂの適切な個所に取付けた主取付材９に対応させて、装飾部材２２、２３の固定具２４を位置調整することにより、簾掛け１を軒ｂの適切な個所に取付ける。
又、装飾部材２２に設けた簾吊着具４を位置調整することにより、窓の対向位置へ簾ａを吊下げる。
尚、第２実施例の装飾部材２３においては、固定具２４及び簾吊着具４の装着部の両側に設けられた螺孔３１に、螺子３２を螺入し、螺子３２の先端を蟻溝２９の底に当接して、蟻溝２９開口側の内面に固定具２４及び簾吊着具４の装着部を押し付けることにより、固定具２４及び簾吊着具４を装飾部材２３に固定する。
【００１４】
又、装飾部材２２の横桟２６は丸棒のものを示したが角棒でも良く、簾吊着具４は移動自在のものを示したが、装飾部材２２の縦桟２５又は横桟２６、装飾部材２３のフレーム２７等にねじ込み固定しても良い。
【００１５】
以下、取付部材３について説明する。
図１、６と図１５の比較で判明する様に、取付部材３は多様な軒ｂに対応して最適な取付け状態を選択出来るものである。
その詳細としては、図１６乃至１８に示す様に、取付部材３は、主取付材９と、方杖部材１０と、取付具１１、１２とから成り、主取付材９及び方杖部材１０の上端に取付具１１、１２を角度調整自在に設け、主取付材９の複数から選択した枢着孔１３に方杖部材１０を枢着連結している。
【００１６】
具体的には、主取付材９はＬ字形断面を有し、一方の平面部９ａは装飾部材２、２ａ、装飾部材２２、２３の固定具２４に固定され、他方の平面部９ｂは方杖部材１０を取付けている。
そして、平面部９ａ（装飾部材２、２ａ、２２、２３との固定面側）は、複数の貫通孔が上下方向に連設されると共に、上部が切欠されている。
【００１７】
又、平面部９ｂは、略中央及びその下方に方杖部材１０との連結用の枢着孔１３が複数設けられ、上端付近に取付具１１との連結用の枢着孔１４が設けられている。
又、丸パイプ状の方杖部材１０にあっては、両先端が圧延されて、平面部１０ａ  、１０ｂ  が形成され、該平面部１０ａ  、１０ｂ  に主取付材９との連結用の枢着孔及び取付具１２との連結用の枢着孔が夫々設けられている。
又、取付具１１、１２にあっては、図１８に示す様に、一方の平面部１１ａ  、１２ａ  に、主取付材９、方杖部材１０との連結用の枢着孔が設けられると共に、他方の平面部１１ｂ  、１２ｂ  （軒との当接面側）に貫通孔が連設されている。
【００１８】
そして、主取付材９と取付具１１、方杖部材１０と取付具１２、主取付材９と方杖部材１０の各連結部にあっては、一方よりバネ座金１５及び座金１６を介装して、螺子１７を各部材双方の枢着孔に挿入し、他方より座金１８を介装して、ナット１９を前記螺子１７に螺合することにより枢着連結している。
【００１９】
かかる構成とすることにより、取付部材３は、図１５に示す様に、主取付材９の複数から選択した枢着孔１３に連結した方杖部材１０の先端を、取付具１２を介して軒ｂに固定すると、主取付材９と方杖部材１０と軒ｂにより三角形状を成し、方杖部材１０が所謂、方杖構造を成して、装飾部材２、２ａ、２２、２３を軒ｂへ固定すると共に、主取付材９を懸垂状態に設定している。
【００２０】
又、図１６に示す様に、主取付材９と方杖部材１０の連結部を下方に位置変えすることにより、軒ｂにおける、主取付材９の先端と方杖部材１０の先端の間隔を狭くして、軒ｂの奥行き長さ或いは軒ｂの傾斜に対応可能にする。
【００２１】
又、図１８に示す様に、主取付材９と取付具１１、方杖部材１０と取付具１２、主取付材９と方杖部材１０の各連結部をバネ座金１５を介装して、夫々の貫通孔に挿入された螺子１７とナット１９とにより枢着連結している為、螺子１７を緩めたり、締め付けることにより、固定角度を適宜調整自在にし、又締付をバネ座金１５の弾性作用を利用することにより堅持する。
【００２２】
次に装飾部材２２、２３を備える簾掛け１による簾ａの具体的詳細な吊着方法の一例について説明する。
（１）取付部材３を構成する主取付材９、方杖部材１０、取付具１１、１２の各連結部の螺子１７を緩める。
（２）主取付材９の上端に設けられた取付具１１の平面部１１ｂ  を軒天井、軒ｂのたるき、庇の腕木下面等の適切な個所に当接させ、螺子釘等を貫通孔に通し、螺入して、取付具１１を軒ｂに固定する。
（３）取付具１１と主取付材９の連結部の螺子１７を軸に、主取付材９を揺動させ、角度調整して、壁面と軒ｂから懸垂させ、即ち、壁面と平行な状態にした後、前記螺子１７を締付ける。
（４）主取付材９と方杖部材１０の成す角度を調整し、方杖部材１０の先端に設けられた取付具１２を（２）と同様に軒ｂに固定する。
（５）軒ｂの奥行き長さが不足して、取付具１２を軒ｂに固定出来ない場合は、図１６に示す様に、方杖部材１０と主取付材９の連結部を下方へ位置変えし、（４）を実施する。
（６）方杖部材１０と取付具１２の連結部、及び方杖部材１０と主取付材９の連結部の螺子１７を締付ける。
（７）上記（１）〜（５）と同様にして、軒の適切な個所に取付部材３を適宜数量取付ける。
（８）装飾部材２２、２３に水平移動自在に設けられた固定具２４の位置を調整し、軒ｂに取付けた各取付部材３に対応させる。
（９）第１実施例の簾掛け１の場合は、各取付部材３の主取付材９の平面部９ａに、装飾部材２２の両側の縦桟２５（固定具２４）の裏面を当接させ、螺子釘等を平面部９ａの貫通孔を通し、螺入して、装飾部材２２を主取付材９に固定する。
（１０）第２実施例の簾掛け１の場合は、図１３に示す様に、固定具２４の装着部の螺孔３１に、螺子３２を螺入し、螺子３２の先端を蟻溝２９の底に当接して、蟻溝２９開口部側の内面に固定具２４の装着部を押し付けて、装飾部材２３に固定した後、各取付部材３の主取付材９の平面部９ａの貫通孔に、固定具２４の螺子３０を挿通し、バネ座金１５及び座金１６を介装して、ナット１９を前記螺子３０に螺合し、装飾部材２３を主取付材９に固定する。
（１１）装飾部材２２、２３に水平移動自在に設けた簾吊着具４の位置を調整した後、簾吊着具４に、簾ａを形成する細竹の最上段を掛け、簾ａを窓ｃの対向位置に吊着する。
（１２）装飾部材２３を用いる場合は、（１０）と同様にして、簾吊着具４を固定する。
【００２３】
尚、方杖部材１０と主取付材９の連結位置は、上方とした場合の方が、軒ｂにおける、方杖部材１０の先端と主取付材９の先端の間隔が広い為、簾掛け１を軒ｂへ堅牢に取付可能なこと、下方を通行する時に方杖部材１０が障害とならないこと等の点から良い。
【００２４】
【発明の効果】
要するに本発明は、主取付材９及び方杖部材10に被取付面へ固定する取付具11、12を角度調整自在に設け、主取付材９に方杖部材10を枢着連結したので、主取付材９と取付具11、方杖部材10と取付具12、主取付材９と方杖部材10の成す角度を適宜調整して、装飾部材２、2a、22、23を、いかなる勾配の軒にも懸垂状態で取付けることが出来る。
【００２５】
又、装飾部材22、23に固定具24を水平移動自在に設け、該固定具24に被取付面から懸垂された主取付材９を取付けたので、軒ｂに対する主取付材９の位置が限定されても、軒ｂに取付けた主取付材９に対応させて、装飾部材22の固定具24を位置調整して、簾掛け１を軒ｂの適切な個所に取付け可能にする。
【００２６】
又、主取付材９に設けた方杖部材10を被取付面に連結したので、方杖部材10による方杖の作用（２点支持）を利用して、装飾部材22、23を軒ｂに堅牢に固定し、装飾性を具備した簾掛け１の軒ｂへの常設を可能にし、且つ装飾部材22、23を壁ｄ面と平行状態に配置して、住宅の風格、美観の向上を図ることが出来る。
【００２７】
又、装飾部材22に簾吊着具４を水平移動自在に設けたので、簾吊着具４を位置調整して、窓の対向位置へ簾ａを吊下げ可能にする。
【００２８】
又、装飾部材22は、複数の縦桟25に水平に貫通孔を設け、該貫通孔に横桟26を挿通し、前記縦桟25を横桟26に水平移動自在と成したので、装飾部材22の一部分である縦桟25を位置調整自在な固定具24とすることにより、簾掛け１の美観を損なうことなく位置調整可能にする。
【００２９】
又、装飾部材23の裏面に溝29を水平方向全長にわたり形成し、該溝29に固定具24を摺動自在に装着すると共に、該固定具24と前記溝29の固定手段を設けたので、位置調整した固定具24を装飾部材23に固定することにより、簾掛け１を軒ｂの適切な個所に堅牢に取付けることが出来る。
【００３０】
又、主取付材９と方杖部材１０の連結部を位置変え自在に設けたので、主取付材９と方杖部材１０の連結部を下方に位置変えすることにより、軒ｂの奥行き寸法が小さな場合であっても、軒ｂにおける、主取付材９の先端と方杖部材１０の先端の間隔を狭くして、軒ｂへの取付けを可能にすることが出来る。
【００３１】
又、主取付材９と取付具１１、方杖部材１０と取付具１２、主取付材９と方杖部材１０の各連結部は、バネ座金１５と共に、締結部材で枢着連結したので、取付部材３の各連結部の螺子１７を緩めたり、締付けることにより、角度の調整を可能にし、又バネ座金１５の弾性作用を利用することにより、締付を堅持することが出来る為、簾掛け１の取り付け作業の簡便化を図ることが出来る等その実用的効果甚だ大である。
【図面の簡単な説明】
【図１】第１実施例の簾掛けの使用状態を示す側面図である。
【図２】図１の正面図である。
【図３】図２の装飾部材の固定具及び簾吊着具の位置を変更した状態を示す図である。
【図４】縦桟の移動自在を併せて示す装飾部材の正面図である。
【図５】図４のＡーＡ拡大断面図である。
【図６】第２実施例の簾掛けの使用状態を示す側面図である。
【図７】図６の正面図である。
【図８】図７の装飾部材の固定具及び簾吊着具の位置を変更した状態を示す図である。
【図９】第２実施例の装飾部材の正面図である。
【図１０】図９のＢーＢ拡大断面図である。
【図１１】図９のＢーＢ拡大切断部端面図である。
【図１２】図９に示す装飾部材に、固定具及び簾吊着具を装着した状態を示す背面図である。
【図１３】蟻溝に装着した固定具と、主取付材を示す分解斜視図である。
【図１４】蟻溝に装着した簾吊着具と、簾を示す分解斜視図である。
【図１５】勾配を有する軒に対する簾掛けの使用状態を示す側面図である。
【図１６】取付部材の側面図である。
【図１７】取付部材の正面図である。
【図１８】取付部材の連結部の分解斜視図である。
【符号の説明】
１      簾掛け
３      取付部材
４      簾吊着具
９      主取付材
１０      方杖部材
１１、１２  取付具
１５      バネ座金
２２、２３  装飾部材
２４      固定具
２５      縦桟
２６      横桟
２９      溝
【図１】
0003565745.tif 000002
【図２】
0003565745.tif 000003
【図３】
0003565745.tif 000004
【図４】
0003565745.tif 000005
【図５】
0003565745.tif 000006
【図６】
0003565745.tif 000007
【図７】
0003565745.tif 000008
【図８】
0003565745.tif 000009
【図９】
0003565745.tif 000010
【図１０】
0003565745.tif 000011
【図１１】
0003565745.tif 000012
【図１２】
0003565745.tif 000013
【図１３】
0003565745.tif 000014
【図１４】
0003565745.tif 000015
【図１５】
0003565745.tif 000016
【図１６】
0003565745.tif 000017
【図１７】
0003565745.tif 000018
【図１８】
0003565745.tif 000019